(57)【特許請求の範囲】
【請求項１】
外部からのデータを受信する通信インターフェイスと、
この通信インターフェイスを介して外部から受信した画像データを第１の記憶装置に画像展開する画像展開手段と、
この画像展開した画像データに基づいてマスタを製版する製版装置と、
この製版されたマスタが巻かれて装着され回転して用紙上に孔版印刷を行う版胴と、
回転する前記版胴にインキを供給するインキ供給装置と、
前回の印刷後の経過時間をカウントするカウント手段と、
前記カウント手段によってカウントされる前回の印刷後の経過時間が所定時間を越えた後に印刷を再開するときは、前記孔版印刷の実行に先立ち前記版胴及びインキ供給装置を制御して前記版胴の緩んだインキを掻き取り練り直してインキの緩みを除去してから前記版胴に再度インキを供給するエコスタートの動作を行うエコスタート手段と、
前記通信インターフェイスを介して外部から受信した前記製版及びその後の前記孔版印刷の開始に関する信号の受信後前記画像展開の終了前に前記エコスタートの動作を開始するエコスタート開始手段と、
を備えている孔版印刷装置。
【請求項２】
前記エコスタート開始手段は、印刷を行わせる装置として本装置を選択する信号を前記製版及び孔版印刷の開始に関する信号としている請求項１に記載の孔版印刷装置。
【請求項３】
前記通信インターフェイスを介して前記カウント手段でカウントしている経過時間を外部に出力する出力手段を備えている請求項１又は２に記載の孔版印刷装置。
【請求項４】
前記エコスタートについてその実行の有無の選択を受付ける受付手段と、
この受付けた選択の結果を記憶する第２の記憶装置と、
前記製版及び孔版印刷の開始に関する信号の受信があったときは、前記第２の記憶装置に前記エコスタートの実行有りが記憶されている場合には前記エコスタートを実行し、前記第２の記憶装置に前記エコスタートの実行無しが記憶されている場合には前記エコスタートの実行を省略するエコスタート選択手段と、
を備えている請求項１〜３のいずれかの一に記載の孔版印刷装置。
【請求項５】
前記受付手段は前記通信インターフェイスを介して前記選択を受付けるものである請求項４に記載の孔版印刷装置。
【請求項６】
前記受付手段は前記エコスタートの動作条件も受付けるものであり、
前記第２の記憶装置は前記受付手段で受付けた動作条件も記憶するものであり、
前記エコスタート手段は前記孔版印刷の実行に先立つ前記エコスタートの動作を前記第２の記憶装置に記憶されている動作条件に従って行うものである請求項４又は５に記載の孔版印刷装置。
【請求項７】
前記受付手段は前記通信インターフェイスを介して前記動作条件を受付けるものである請求項６に記載の孔版印刷装置。
【請求項８】
請求項１〜７のいずれかの一に記載の孔版印刷装置と、
この孔版印刷装置と通信可能に接続された情報処理装置と、
を備えている印刷システム。
【発明の詳細な説明】
【０００１】
【発明の属する技術分野】
この発明は、前回の印刷からある程度時間が経過した後に印刷を行う場合には、印刷の実行に先立ってエコスタートを行う孔版印刷装置及び印刷システムに関する。
【０００２】
【従来の技術】
孔版印刷装置で、前回の印刷からある程度時間が経過した後に印刷を行う際には、版胴に付着しているインキがゆるみ、あるいは、インキの水分抜けなどが発生するため、そのままで新たな印刷を行うと、印刷開始当初の印刷の仕上がりがよくない。
【０００３】
そこで、前回の印刷からある程度時間が経過した後に印刷を行う際には、その印刷の再開に先立って、版胴の緩んだインキを掻き取って練り直し、インキの緩みを除去してから、再度版胴に供給することなどにより、印刷時の濃度の低下や立ち上がり不足を防止する動作を行う技術がある（特開2000-190611号公報、特開2000-141851号公報参照）。このような動作は、エコスタートと呼ばれることがある。
【０００４】
また、孔版印刷装置では、ＰＣなどから画像データを孔版印刷装置に送信すると、この送信した画像データをページメモリに画像展開してから１ライン分ずつマスタの製版を行う製版装置に出力して製版を行う。そして、エコスタートは、ページメモリへの画像展開が終了した後に開始している。
【０００５】
【発明が解決しようとする課題】
しかしながら、エコスタートの動作は、版胴を数回程度回転して行うものであるため、その実行にある程度時間を要する。また、前記のようにページメモリに画像展開を行うことも、ある程度時間を要する。
【０００６】
そのため、前記従来技術のように、ページメモリに画像展開してからエコスタートを開始したのでは、孔版印刷装置に印刷の開始を指示してから印刷後の用紙が排出されるまでに相当の時間を要し、印刷の生産性が悪いという不具合がある。
【０００７】
この発明の目的は、孔版印刷を行うに先立ってエコスタートを行う場合に、印刷の開始を指示してから印刷後の用紙が排出されるまでの時間を短縮して、印刷の生産性を高めることである。
【０００８】
この発明の目的は、孔版印刷装置での前回の印刷からの経過時間をユーザが外部で容易にモニタリングできるようにすることである。
【０００９】
この発明の目的は、ユーザが不要と考える場合には、孔版印刷を行うに先立ってエコスタートを省略できるようにすることである。
【００１０】
この発明の目的は、エコスタートの実行、省略の選択をユーザが外部から容易に設定できるようにすることである。
【００１１】
この発明の目的は、エコスタートの動作条件をユーザが設定できるようにすることである。
【００１２】
この発明の目的は、エコスタートの動作条件をユーザが外部から容易に設定できるようにすることである。
【００１３】
【課題を解決するための手段】
請求項１に記載の発明は、外部からのデータを受信する通信インターフェイスと、この通信インターフェイスを介して外部から受信した画像データを第１の記憶装置に画像展開する画像展開手段と、この画像展開した画像データに基づいてマスタを製版する製版装置と、この製版されたマスタが巻かれて装着され回転して用紙上に孔版印刷を行う版胴と、回転する前記版胴にインキを供給するインキ供給装置と、前回の印刷後の経過時間をカウントするカウント手段と、前記カウント手段によってカウントされる前回の印刷後の経過時間が所定時間を越えた後に印刷を再開するときは、前記孔版印刷の実行に先立ち前記版胴及びインキ供給装置を制御して前記版胴の緩んだインキを掻き取り練り直してインキの緩みを除去してから前記版胴に再度インキを供給するエコスタートの動作を行うエコスタート手段と、前記通信インターフェイスを介して外部から受信した前記製版及びその後の前記孔版印刷の開始に関する信号の受信後前記画像展開の終了前に前記エコスタートの動作を開始するエコスタート開始手段と、を備えている孔版印刷装置である。
【００１４】
エコスタートは、印刷時の濃度の低下や立ち上がり不足を防止する動作である（特開2000-190611号公報、特開2000-141851号公報参照）。
【００１５】
したがって、画像データの画像展開の終了前にエコスタートを開始するので、画像展開の終了後に開始する場合に比べて、印刷の開始を指示してから印刷後の用紙が排出されるまでの時間を短縮することができ、印刷の生産性を高めることができる。
【００１６】
なお、製版及びその後の孔版印刷の開始に関する信号とは、孔版印刷の開始を指示する信号、画像データの送信開始を知らせる信号、送信が開始された画像データなど、孔版印刷の開始を直接指示信号のみならず、孔版印刷の開始を前提とする各種信号が含まれる。
【００１７】
請求項２に記載の発明は、請求項１に記載の孔版印刷装置において、前記エコスタート開始手段は、印刷を行わせる装置として本装置を選択する信号を前記製版及び孔版印刷の開始に関する信号としている。
【００１８】
したがって、孔版印刷装置がネットワークに接続された複数の印刷装置の１台である場合などに、使用する装置として本装置を選択する信号を受けて後画像データの画像展開の終了前にエコスタートを開始して、印刷の開始を指示してから印刷後の用紙が排出されるまでの時間を短縮することができ、印刷の生産性を高めることができる。
【００１９】
請求項３に記載の発明は、請求項１又は２に記載の孔版印刷装置において、前記通信インターフェイスを介して前記カウント手段でカウントしている経過時間を外部に出力する出力手段を備えている。
【００２０】
したがって、前回の印刷からの経過時間をユーザが外部で容易にモニタリングすることができる。
【００２１】
請求項４に記載の発明は、請求項１〜３のいずれかの一に記載の孔版印刷装置において、前記エコスタートについてその実行の有無の選択を受付ける受付手段と、この受付けた選択の結果を記憶する第２の記憶装置と、前記製版及び孔版印刷の開始に関する信号の受信があったときは、前記第２の記憶装置に前記エコスタートの実行有りが記憶されている場合には前記エコスタートを実行し、前記第２の記憶装置に前記エコスタートの実行無しが記憶されている場合には前記エコスタートの実行を省略するエコスタート選択手段と、を備えている。
【００２２】
したがって、ユーザが不要と考える場合には、エコスタートの動作を省略することができる。
【００２３】
請求項５に記載の発明は、請求項４に記載の孔版印刷装置において、前記受付手段は前記通信インターフェイスを介して前記選択を受付けるものである。
【００２４】
したがって、エコスタート手段によるインキの供給の実行、省略の選択をユーザが外部から容易に設定することができる。
【００２５】
請求項６に記載の発明は、請求項４又は５に記載の孔版印刷装置において、前記受付手段は前記エコスタートの動作条件も受付けるものであり、前記第２の記憶装置は前記受付手段で受付けた動作条件も記憶するものであり、前記エコスタート手段は前記孔版印刷の実行に先立つ前記エコスタートの動作を前記第２の記憶装置に記憶されている動作条件に従って行うものである。
【００２６】
したがって、エコスタートを実行する条件となる前回の印刷からの経過時間など、エコスタートの動作条件をユーザが設定することができる。
【００２７】
請求項７に記載の発明は、請求項６に記載の孔版印刷装置において、前記受付手段は前記通信インターフェイスを介して前記動作条件を受付けるものである。
【００２８】
したがって、エコスタートの動作条件をユーザが外部から容易に設定することができる。
【００２９】
請求項８に記載の発明は、請求項１〜７のいずれかの一に記載の孔版印刷装置と、この孔版印刷装置と通信可能に接続された情報処理装置と、を備えている印刷システムである。
【００３０】
したがって、請求項１〜７のいずれかの一に記載の発明と同様の作用、効果を奏することができる。
【００３１】
【発明の実施の形態】
この発明の一実施の形態について説明する。
【００３２】
図１は、この発明の一実施の形態である孔版印刷装置の概略構成を示すブロック図である。図１に示すように、この孔版印刷装置１は、印刷機２とコントローラ３とからなる。
【００３３】
印刷機２は、マスタを製版する製版装置１１と、製版したマスタを用いて用紙に孔版印刷を行う印刷部１２と、印刷部１２に印刷に使用する用紙を供給する給紙装置１３と、マイコンなどからなり印刷機２の全体を制御する制御部１４とを備えている。
【００３４】
印刷部１２は、製版されたマスタが巻かれて装着され、回転して用紙上に孔版印刷を行う版胴１５と、この版胴１５の内周側に設けられ、回転する版胴１５にインキを供給するインキ供給装置１６とを備えている。
【００３５】
インキ供給装置１６は、回転自在に支持され、所定の駆動機構により回転駆動されるインキローラ１７と、その外周面がインキローラ１７の外周面に対して近接配置されたドクターローラ１８とを備えている。インキローラとドクターローラとの近接部に供給されたインキ溜まりのインキは、インキローラ１７とドクターローラ１８との隙間を通過する際に引き延ばされ、インキローラ１７の外周面上に薄膜状に供給される。そして、インキローラ１７の外周は版胴１５の内周面に当接していて、回転する版胴１５にインキローラ１７の外周面上のインキが供給される。また、インキ供給装置１６及び版胴１５は、エコスタートを実行するために必要な構成にされている（その詳細については、特開2000-190611号公報、特開2000-141851号公報等参照）。
【００３６】
コントローラ３は印刷機２と接続されている。このコントローラ３は、外部の機器、例えばホストコンピュータとなる情報処理装置であるＰＣ２１と通信を行って各種データの送受信を行う通信インターフェイス２２と、通信インターフェイス２２を介して受信した画像データをバッファリングするバッファ２３と、第１の記憶装置であるページメモリ２４と、マイコンなどからなりコントローラ３の全体を制御する制御部２５とを備えている。制御部２５は、通信インターフェイス２２を介して受信した画像データをバッファ２３でバッファリングし、この画像データをページメモリ２４に画像展開する。そして、ページメモリ２４に展開されたラスタイメージデータを１ライン分ずつ印刷機２に送信する。また、印刷機２の制御部１４とコマンド／レスポンスの送受信を行う。
【００３７】
ＰＣ２１には、孔版印刷装置１を駆動するための所定のドライバーソフトがインストールされている。
【００３８】
なお、孔版印刷装置１とＰＣ２１等とは、図２に示すように１対１で接続してもよいし、図３に示すようにＬＡＮなどを介して１又は複数台の孔版印刷装置１と１又は複数台のＰＣ２１等とを接続してもよい。
【００３９】
次に、孔版印刷装置１の動作について説明する。
【００４０】
図４に示すように、コントローラ３の制御部２５は、その主記憶装置（ＲＡＭあるいは不揮発性メモリなど）の記憶エリア３１に、カウンタ領域３２と、エコスタート実行有無記憶領域３３と、エコスタート動作条件記憶領域３４とを構築する。カウンタ領域３２には、印刷機２で前回の印刷を終了した後の経過時間が記憶される。エコスタート実行有無記憶領域３３は、第２の記憶装置を実現するもので、カウンタ領域３２でカウントされている経過時間に応じて印刷機２で新たな孔版印刷を開始する前にエコスタートを行うか否かを設定するフラグである。エコスタート動作条件記憶領域３４には、印刷機２による新たな孔版印刷の開始に先立ってエコスタートを行うか否かを判断する基準となる前記経過時間の基準値、その他のエコスタートの動作条件が設定される。
【００４１】
図５のフローチャートを参照して、カウンタ領域３２を用いて行う処理について説明する。図５に示すように、制御部２５のＣＰＵは、印刷機２による孔版印刷が行われた場合に、その印刷が終了したか否かを判断する（ステップＳ１）。印刷が終了すると（ステップＳ１のＹ）、カウンタ領域３２に記憶されているカウント値をリセットし（ステップＳ２）、その後の経過時間をカウントする（ステップＳ３）。このカウント値はカウンタ領域３２に記憶される。
【００４２】
このように、カウンタ領域３２のカウント値がリセットされたときは（ステップＳ２）、印刷機２による次の印刷が行われて、その印刷が終了するまで（ステップＳ１のＹ）、カウンタ領域３２のカウント値がリセットされずに、カウンタ領域３２のカウント値がカウントアップされるので（ステップＳ１のＮ，Ｓ３）、印刷機２による前回の印刷が終了して後の経過時間がカウンタ領域３２のカウント値からわかる。図５の処理によりカウント手段を実現する。
【００４３】
次に、図６〜図８を参照して、コントローラ３からＰＣ２１への情報の提供について説明する。
【００４４】
まず、ユーザがドライバーソフトに基づいてＰＣ２１のディスプレイ上に所定の稼動状況表示画面を表示させると、孔版印刷装置１の稼動状況を問い合わせる問い合わせコマンドが、コントローラ３に出力される。図６に示すように、制御部２５のＣＰＵは、通信インターフェイス２２を介して、孔版印刷装置１の稼動状況を問い合わせる問い合わせコマンドを受信すると（ステップＳ１１のＹ）、カウンタ領域３２のカウント値等、孔版印刷装置１の稼動状況に関する所定の情報を参照して（ステップＳ１２）、その内容をＰＣ２１に通知する（ステップＳ１３）。
【００４５】
この通知を受けたＰＣ２１は、その内容を稼動状況表示画面に表示する。図７に、その表示例を示す。この例では、ＬＡＮに複数の孔版印刷装置１が接続されている場合に、各孔版印刷装置１（“印刷機Ｎｏ．”の欄に、印刷機１，２，…で示される）ごとに、その稼動状況が表示され、その稼動状況と併せてカウンタ領域３２のカウント値が、例えば“停止から４時間３０分”のように表示される。また、どの色を印刷するための版胴１５が装着されているのかが、“セットドラム種類”という欄に表示される。
【００４６】
また、ユーザがドライバーソフトに基づいてＰＣ２１のディスプレイ上に所定のエコスタート設定画面を表示させると、所定の情報の提供を要求する問い合わせコマンドが、コントローラ３に出力される。図８に示すように、制御部２５のＣＰＵは、通信インターフェイス２２を介して、所定の情報の提供を要求する問い合わせコマンドを受信すると（ステップＳ２１のＹ）、エコスタート実行有無記憶領域３３及びエコスタート動作条件記憶領域３４の内容を参照して（ステップＳ２２）、その内容をＰＣ２１に通知する（ステップＳ２３）。
【００４７】
すなわち、エコスタート実行有無記憶領域３３のフラグは、“１”が設定されているときはエコスタートの実行が設定されていることを意味し、“０”が設定されているときはエコスタートの実行の省略が設定されていることを意味していて、前記の通知を受信したＰＣ２１は、その値に応じてエコスタートの実行が設定されているか否かをエコスタート設定画面上に表示する。また、エコスタート動作条件記憶領域３４に記憶されるのは、エコスタートの動作条件であり、例えば、カウンタ領域３２に記憶されている経過時間がいくらになった場合に、印刷機２による新たな孔版印刷の開始に先立ってエコスタートを行うかを判断する基準値などが記憶されているので、ＰＣ２１は、この基準値などをエコスタート設定画面上に表示する。
【００４８】
そして、ユーザは、エコスタート設定画面上で、エコスタートの実行の有無と、エコスタートを実行する場合の動作条件の設定を行うことができる。
【００４９】
すなわち、エコスタート設定画面上でエコスタートを行うか否かを選択すると、エコスタート設定コマンドがＰＣ２１からコントローラ３に出力される。図９に示すように、制御部２５のＣＰＵは、通信インターフェイス２２を介してＰＣ２１からエコスタート設定コマンドを受信したときは（ステップＳ３１のＹ）、エコスタート設定コマンドによりエコスタートの実行が選択されたのか、エコスタートの実行の省略が選択されたのかを判断し（ステップＳ３２）、エコスタートの実行が選択されたときは（ステップＳ３２のＹ）、エコスタート実行有無記憶領域３３のフラグを“１”に設定し（ステップＳ３３）、エコスタートの実行の省略が選択されたときは（ステップＳ３２のＮ）、エコスタート実行有無記憶領域３３のフラグを“０”に設定する（ステップＳ３４）。ステップＳ３１により受付手段を実現している。
【００５０】
また、エコスタート設定画面上で、前記の基準値などエコスタートの動作条件が選択されると、動作条件設定コマンドがＰＣ２１からコントローラ３に出力される。図１０に示すように、制御部２５のＣＰＵは、通信インターフェイス２２を介してＰＣ２１から動作条件設定コマンドを受信したときは（ステップＳ４１のＹ）、選択された動作条件をエコスタート動作条件記憶領域３４に設定する（ステップＳ４２）。
【００５１】
次に、孔版印刷装置１で印刷を行う際の一連の処理について、図１１を参照して説明する。孔版印刷装置１で印刷を行う場合には、ＰＣ２１から孔版印刷装置１による製版及びその後の孔版印刷の開始に関する信号が孔版印刷装置１に送信されることとなる。これらの信号としては、孔版印刷装置１に印刷の開始を命令するプリント命令コマンド、図３のように孔版印刷装置１がＬＡＮに接続された印刷装置のうちの１台である場合は、印刷を実行させる装置として当該孔版印刷装置１を選択する選択コマンド、ＰＣ２１から印刷用の画像データの送信を行うことを通知する送信コマンド、あるいは送信される印刷用の画像データそのもの、などがある。
【００５２】
図１１に示すように、制御部２５のＣＰＵは、このような製版及びその後の孔版印刷の開始に関する信号を、通信インターフェイス２２を介して受信したときは（ステップＳ５１）、カウンタ領域３２、エコスタート実行有無記憶領域３３及びエコスタート動作条件記憶領域３４を参照し（ステップＳ５２）、印刷機２による孔版印刷の実行に先立ってエコスタートを実行するか否かを判断する（ステップＳ５３）。ステップＳ５３によりエコスタート選択手段を実現する。すなわち、エコスタート実行有無記憶領域３３のフラグが“１”に設定されていて、かつ、カウンタ領域３２のカウント値がエコスタート動作条件記憶領域３４に記憶されている基準値を超えている場合にはエコスタートを実行し、それ以外の場合には実行しない。このような判断を行って、エコスタートを実行する場合には（ステップＳ５３のＹ）、ただちに印刷機２の制御部１４にエコスタートの開始を指示するコマンドを送信する（ステップＳ５４）。ステップＳ５４によりエコスタート開始手段を実現する。
【００５３】
このコマンドを受信した印刷機２の制御部１４では、版胴１５を数回程度回転してエコスタートの動作を開始する。これによりエコスタート手段を実現する。
【００５４】
その後、ＰＣ２１から印刷のための画像データの送信が開始されると（ステップＳ５５のＹ）、制御部２５のＣＰＵは、バッファ２３でバッファリングした画像データをページメモリ２４に画像展開する（ステップＳ５６）。ステップＳ５６により画像展開手段を実現する。エコスタートの開始（ステップＳ５４）を指示した場合には（ステップＳ５７）、印刷機２の制御部１４からエコスタートにまつわる処理の終了を通知するレスポンスを受信し（ステップＳ５８のＹ）、ステップＳ５６の画像展開が終了すると（ステップＳ５９のＹ）、ページメモリ２４に画像展開されたラスタイメージデータを１ライン分ずつ印刷機２に送信する（ステップＳ６０）。なお、エコスタートの開始を指示するコマンドの送信（ステップＳ５４）は、画像展開（ステップＳ５６）の終了前に行う必要があり、望ましくは製版及びその後の孔版印刷の開始に関する信号を受信（ステップＳ５１）したら直ちに行う。
【００５５】
印刷機２の制御部１４は、コントローラ３から受信するラスタイメージデータに基づいて製版装置１１で製版を行い、製版後のマスタを用いて印刷部１２で孔版印刷を行う。
【００５６】
以上説明した孔版印刷装置１によれば、画像データのページメモリ２４での画像展開の終了（ステップＳ５９のＹ）前に、印刷機２のエコスタートを開始するので（ステップＳ５４）、画像展開の終了後に開始する場合に比べて、印刷の開始を指示してから（ステップＳ５１）、印刷機２から印刷後の用紙が排出されるまでの時間を短縮することができ、印刷の生産性を高めることができる。
【００５７】
また、孔版印刷装置１における前回の印刷の終了後からの経過時間をＰＣ２１に通知するので（ステップＳ１３）、かかる経過時間をユーザが外部からＰＣ２１で容易にモニタリングすることができる。ステップＳ１３により出力手段を実現する。
【００５８】
さらに、エコスタート実行有無記憶領域３３のフラグの設定により、ユーザが不要と考える場合には、印刷に先立つエコスタートの実行を省略することができる。この場合に、エコスタート実行有無記憶領域３３のフラグの設定は、ユーザが外部からＰＣ２１で容易に設定することができる。
【００５９】
そのうえ、エコスタートを実行する条件となる前回の印刷からの経過時間の基準値など、エコスタートの動作条件をユーザが設定することができる（ステップＳ４２）。この場合に、エコスタートの動作条件をユーザが外部からＰＣ２１で容易に設定することができる。なお、エコスタートの動作条件として、エコスタート動作の際の版胴１５のアイドリング回数（回転数）を設定できるようにしてもよい。
【００６０】
【発明の効果】
請求項１に記載の発明は、画像データの画像展開の終了前にエコスタートを開始するので、画像展開の終了後に開始する場合に比べて、印刷の開始を指示してから印刷後の用紙が排出されるまでの時間を短縮することができ、印刷の生産性を高めることができる。
【００６１】
請求項２に記載の発明は、請求項１に記載の孔版印刷装置において、孔版印刷装置がネットワークに接続された複数の印刷装置の１台である場合などに、使用する装置として本装置を選択する信号を受けて後画像データの画像展開の終了前にエコスタートを開始して、印刷の開始を指示してから印刷後の用紙が排出されるまでの時間を短縮することができ、印刷の生産性を高めることができる。
【００６２】
請求項３に記載の発明は、請求項１又は２に記載の孔版印刷装置において、前回の印刷からの経過時間をユーザが外部で容易にモニタリングすることができる。
【００６３】
請求項４に記載の発明は、請求項１〜３のいずれかの一に記載の孔版印刷装置において、ユーザが不要と考える場合には、エコスタートを省略することができる。
【００６４】
請求項５に記載の発明は、請求項４に記載の孔版印刷装置において、エコスタートの実行、省略の選択をユーザが外部から容易に設定することができる。
【００６５】
請求項６に記載の発明は、請求項４又は５に記載の孔版印刷装置において、エコスタートを実行する条件となる前回の印刷からの経過時間など、エコスタートの動作条件をユーザが設定することができる。
【００６６】
請求項７に記載の発明は、請求項６に記載の孔版印刷装置において、エコスタートの動作条件をユーザが外部から容易に設定することができる。
【００６７】
請求項８に記載の発明は、請求項１〜７のいずれかの一に記載の孔版印刷装置と、請求項１〜７のいずれかの一に記載の発明と同様の作用、効果を奏することができる。
【図面の簡単な説明】
【図１】この発明の一実施の形態である孔版印刷装置の概略構成を示すブロック図である。
【図２】前記孔版印刷装置とＰＣとの接続例を示すブロック図である。
【図３】同ブロック図である。
【図４】前記孔版印刷装置のコントローラに設けられた制御部の主記憶装置に構築される各記憶領域について説明するブロック図である。
【図５】前記制御部が行う処理を説明するフローチャートである。
【図６】同フローチャートである。
【図７】前記ＰＣのディスプレイに表示される稼動状況表示画面の例を説明する平面図である。
【図８】前記制御部が行う処理を説明するフローチャートである。
【図９】同フローチャートである。
【図１０】同フローチャートである。
【図１１】同フローチャートである。
【符号の説明】
１      孔版印刷装置
２      印刷機
３      コントローラ
１１    製版装置
１５    版胴
１６    インキ供給装置
２１    情報処理装置
２２    通信インターフェイス
２４    第１の記憶装置
３３    第２の記憶装置
【図１】
0004651187.tif 000002
【図２】
0004651187.tif 000003
【図３】
0004651187.tif 000004
【図４】
0004651187.tif 000005
【図５】
0004651187.tif 000006
【図６】
0004651187.tif 000007
【図７】
0004651187.tif 000008
【図８】
0004651187.tif 000009
【図９】
0004651187.tif 000010
【図１０】
0004651187.tif 000011
【図１１】
0004651187.tif 000012